【手続補正書】
【提出日】平成20年5月28日(2008.5.28)
【手続補正１】
【補正対象書類名】明細書
【補正対象項目名】特許請求の範囲
【補正方法】変更
【補正の内容】
【特許請求の範囲】
【請求項１】  表示状態を変化可能な特別可変表示部を備え、前記特別可変表示部における表示結果があらかじめ定められた特定表示態様となったときに特定遊技状態に制御可能な遊技機であって、
表示状態を変化可能な普通可変表示部と、
前記普通可変表示部における表示結果があらかじめ定められた表示態様となったことを条件に遊技者にとって有利な状態に変化する普通可変入賞装置と、
遊技機への電力供給が停止しても所定期間は格納されたデータを保持することが可能なＲＡＭと、
所定の処理を繰り返し実行するメインルーチンと、前記メインルーチン実行中の所定時間毎に発生するタイマ割込にもとづいて前記メインルーチンを中断して起動される割込ルーチンとを実行する遊技制御用マイクロコンピュータとを備え、
前記遊技制御用マイクロコンピュータは、
前記割込ルーチンにおいて、前記普通可変表示部にてあらかじめ定められた前記表示態様を表示するか否かの判定に用いられる数値であって前記ＲＡＭに格納されている判定用数値を、所定の数値範囲内で更新し前記ＲＡＭに格納する普通可変表示用の判定用数値更新処理と、所定の時期に前記判定用数値の更新初期値を前記ＲＡＭに格納されている初期値用数値に変更する初期値変更処理と、所定の条件成立にもとづいて、前記ＲＡＭに格納されている前記判定用数値を抽出し、抽出された数値が所定の判定値と一致した場合に、前記普通可変表示部における表示結果をあらかじめ定められた前記表示態様とすることを決定する普通表示態様決定処理とを含む遊技制御処理を実行し、
前記メインルーチンにおいて、前記所定の処理として、前記ＲＡＭに格納されている初期値用数値を更新し、前記ＲＡＭに格納する初期値用数値更新処理を実行し、
前記メインルーチンにおける初期値用数値更新処理を開始する前に前記タイマ割込による割込を禁止し、初期値用数値更新処理の完了後に前記タイマ割込による割込を許可し、
遊技機への電力供給が停止した後、電力供給が復旧した場合に、前記ＲＡＭに格納されている前記判定用数値から数値の更新を継続する
ことを特徴とする遊技機。
【手続補正２】
【補正対象書類名】明細書
【補正対象項目名】０００８
【補正方法】変更
【補正の内容】
【０００８】
【課題を解決するための手段】
本発明による遊技機は、表示状態を変化可能な特別可変表示部（例えば可変表示装置９）を備え、特別可変表示部における表示結果があらかじめ定められた特定表示態様（例えば大当りを発生させる図柄の組み合わせ）となったときに特定遊技状態に制御可能な遊技機であって、表示状態を変化可能な普通可変表示部（例えば可変表示器１０）と、普通可変表示部における表示結果があらかじめ定められた表示態様となったことを条件に遊技者にとって有利な状態に変化する普通可変入賞装置（例えば可変入賞球装置１５）と、遊技機への電力供給が停止しても所定期間は格納されたデータを保持することが可能なＲＡＭと、所定の処理を繰り返し実行するメインルーチンとメインルーチン実行中の所定時間毎に発生するタイマ割込にもとづいてメインルーチンを中断して起動される割込ルーチンとを実行する遊技制御用マイクロコンピュータとを備え、遊技制御用マイクロコンピュータは、割込ルーチンにおいて、普通可変表示部にてあらかじめ定められた表示態様を表示するか否かの判定に用いられる数値であってＲＡＭに格納されている判定用数値を、所定の数値範囲内で更新しＲＡＭに格納する普通可変表示用の判定用数値更新処理と、所定の時期に判定用数値の更新初期値をＲＡＭに格納されている初期値用数値に変更する初期値変更処理と、所定の条件成立にもとづいて、ＲＡＭに格納されている判定用数値を抽出し、抽出された数値が所定の判定値と一致した場合に、普通可変表示部における表示結果をあらかじめ定められた表示態様とすることを決定する普通表示態様決定処理（例えばＣＰＵ５６、特にステップＳ６３３の処理）とを含む遊技制御処理を実行し、メインルーチンにおいて、所定の処理として、ＲＡＭに格納されている初期値用数値を更新し、ＲＡＭに格納する初期値用数値更新処理を実行し、メインルーチンにおける初期値用数値更新処理を開始する前にタイマ割込による割込を禁止し、初期値用数値更新処理の完了後にタイマ割込による割込を許可し、遊技機への電力供給が停止した後、電力供給が復旧した場合に、ＲＡＭに格納されている判定用数値から数値の更新を継続することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】０２８８
【補正方法】変更
【補正の内容】
【０２８８】
【発明の効果】
以上のように、請求項１記載の発明では、遊技機を、普通可変表示部における表示結果があらかじめ定められた表示態様となったことを条件に遊技者にとって有利な状態に変化する普通可変入賞装置と、遊技機への電力供給が停止しても所定期間は格納されたデータを保持することが可能なＲＡＭと、所定の処理を繰り返し実行するメインルーチンとメインルーチン実行中の所定時間毎に発生するタイマ割込にもとづいてメインルーチンを中断して起動される割込ルーチンとを実行する遊技制御用マイクロコンピュータとを備え、遊技制御用マイクロコンピュータは、割込ルーチンにおいて、普通可変表示部にてあらかじめ定められた表示態様を表示するか否かの判定に用いられる数値であってＲＡＭに格納されている判定用数値を、所定の数値範囲内で更新しＲＡＭに格納する普通可変表示用の判定用数値更新処理と、所定の時期に判定用数値の更新初期値をＲＡＭに格納されている初期値用数値に変更する初期値変更処理と、所定の条件成立にもとづいて、ＲＡＭに格納されている判定用数値を抽出し、抽出された数値が所定の判定値と一致した場合に、普通可変表示部における表示結果をあらかじめ定められた表示態様とすることを決定する普通表示態様決定処理とを含む遊技制御処理を実行し、メインルーチンにおいて、所定の処理として、ＲＡＭに格納されている初期値用数値を更新し、ＲＡＭに格納する初期値用数値更新処理を実行し、メインルーチンにおける初期値用数値更新処理を開始する前にタイマ割込による割込を禁止し、初期値用数値更新処理の完了後にタイマ割込による割込を許可し、遊技機への電力供給が停止した後、電力供給が復旧した場合に、ＲＡＭに格納されている判定用数値から数値の更新を継続するように構成にしたので、普通可変表示部における表示結果をあらかじめ定められた表示態様とするように決定するタイミングを遊技機外部から特定することを困難にすることができ、不正行為を効果的に防止することができる効果がある。
【手続補正１９】
【補正対象書類名】明細書
【補正対象項目名】０２８９
【補正方法】削除
【補正の内容】
【手続補正２０】
【補正対象書類名】明細書
【補正対象項目名】０２９０
【補正方法】削除
【補正の内容】
【手続補正２１】
【補正対象書類名】明細書
【補正対象項目名】０２９１
【補正方法】削除
【補正の内容】
【手続補正２２】
【補正対象書類名】明細書
【補正対象項目名】０２９２
【補正方法】削除
【補正の内容】
【手続補正２３】
【補正対象書類名】明細書
【補正対象項目名】０２９３
【補正方法】削除
【補正の内容】
【手続補正２４】
【補正対象書類名】明細書
【補正対象項目名】０２９４
【補正方法】削除
【補正の内容】
【手続補正２５】
【補正対象書類名】明細書
【補正対象項目名】０２９５
【補正方法】削除
【補正の内容】
【手続補正２６】
【補正対象書類名】明細書
【補正対象項目名】０２９６
【補正方法】削除
【補正の内容】
【手続補正２７】
【補正対象書類名】明細書
【補正対象項目名】０２９７
【補正方法】削除
【補正の内容】
【手続補正２８】
【補正対象書類名】明細書
【補正対象項目名】０２９８
【補正方法】削除
【補正の内容】
【手続補正２９】
【補正対象書類名】明細書
【補正対象項目名】０２９９
【補正方法】削除
【補正の内容】
【手続補正３０】
【補正対象書類名】明細書
【補正対象項目名】０３００
【補正方法】削除
【補正の内容】
【手続補正３１】
【補正対象書類名】明細書
【補正対象項目名】０３０１
【補正方法】削除
【補正の内容】
【手続補正３２】
【補正対象書類名】明細書
【補正対象項目名】０３０２
【補正方法】削除
【補正の内容】
【手続補正３３】
【補正対象書類名】明細書
【補正対象項目名】０３０３
【補正方法】削除
【補正の内容】